(57)【要約】【課題】３Ｄ映像コンテンツと２Ｄ映像コンテンツを再生可能なディスク再生装置において、消費電力の低減等が可能となるディスク再生装置を提供する。【解決手段】ディスクに記録された３Ｄ映像コンテンツおよび２Ｄ映像コンテンツを再生するディスク再生装置において、３Ｄ映像コンテンツ再生用のディスク回転速度制御モードと２Ｄ映像コンテンツ再生用のディスク回転速度制御モードとを切替えて設定する設定部と、前記設定部により設定された制御モードでディスク回転速度を制御する制御部と、を備えた構成とする。【選択図】図２
2012104182.tif 000002
【特許請求の範囲】
【請求項１】
ディスクに記録された３Ｄ映像コンテンツおよび２Ｄ映像コンテンツを再生するディスク再生装置において、
３Ｄ映像コンテンツ再生用のディスク回転速度制御モードと２Ｄ映像コンテンツ再生用のディスク回転速度制御モードとを切替えて設定する設定部と、
前記設定部により設定された制御モードでディスク回転速度を制御する制御部と、を備えたことを特徴とするディスク再生装置。
【請求項２】
ディスクに３Ｄ映像コンテンツが含まれているか否かを示すコンテンツ情報をディスクから読み出す読出し部を備え、
前記設定部は、前記読出し部に読み出された前記コンテンツ情報に基づきディスクに３Ｄ映像コンテンツが含まれているか否かを判定し、３Ｄ映像コンテンツが含まれていれば、前記３Ｄ映像コンテンツ再生用のディスク回転速度制御モードを設定し、３Ｄ映像コンテンツが含まれていなければ、前記２Ｄ映像コンテンツ再生用のディスク回転速度制御モードを設定することを特徴とする請求項１に記載のディスク再生装置。
【請求項３】
前記設定部は、３Ｄ映像コンテンツを再生可能なデータ読出し速度を設定することで前記３Ｄ映像コンテンツ再生用のディスク回転速度制御モードを設定し、２Ｄ映像コンテンツを再生可能なデータ読出し速度を設定することで前記２Ｄ映像コンテンツ再生用のディスク回転速度制御モードを設定し、
前記制御部は、再生データ速度が設定されたデータ読出し速度と一致するようにディスク回転速度を制御することを特徴とする請求項１または請求項２に記載のディスク再生装置。
【請求項４】
前記ディスクは、光ディスクであることを特徴とする請求項１〜請求項３のいずれかに記載のディスク再生装置。
【発明の詳細な説明】
【技術分野】
【０００１】
本発明は、３Ｄ映像コンテンツと２Ｄ映像コンテンツを再生可能なディスク再生装置に関する。
【背景技術】
【０００２】
従来より多様な種類の光ディスクが開発されていると共に、光ディスクに記録されるコンテンツも様々である。
【０００３】
特許文献１には、ＤＶＤディスクに記録されているコンテンツがＤＶＤ−Ｖｉｄｅｏコンテンツであるか否かを判定し、ＤＶＤ−ＶｉｄｅｏコンテンツであればＤＶＤ−Ｖｉｄｅｏ再生に必要十分なディスク回転速度を設定し、ＤＶＤ−Ｖｉｄｅｏコンテンツでなければ、ディスク回転速度を最高速度に設定する光ディスク装置が開示されている。
【０００４】
また、特許文献２には、ディスク装置に装填したメディアのコンテンツ種類を含むメディア判別を行い、その判別結果に応じてディスク回転速度を設定する電子機器が開示されている。
【０００５】
また、特許文献３には、ホスト装置と光ディスク装置との間のやりとりに基づき光ディスクに記録されているコンテンツの種類を判別し、判別されたコンテンツの種類に応じてディスク回転速度を制御する光ディスク装置が開示されている。
【先行技術文献】
【特許文献】
【０００６】
【特許文献１】特開２００１−３５７６０１号公報
【特許文献２】特開２００５−１８２８５２号公報
【特許文献３】特開２００６−１８５４８０号公報
【発明の概要】
【発明が解決しようとする課題】
【０００７】
ところで近年、ブルーレイディスク等の大容量ディスクの開発により、通常の２Ｄ映像コンテンツのみならず、３Ｄ映像コンテンツが記録されたディスクが登場しており、そのようなディスクを再生可能なディスク再生装置も登場している。
【０００８】
３Ｄ映像コンテンツの再生を行うためには２Ｄ映像コンテンツに較べてより速いデータ読出し速度が必要となるため、ディスクの回転速度を速くする必要がある。そのため、従来、２Ｄ映像コンテンツの再生においても３Ｄ映像コンテンツ再生時と同じ回転速度でディスクを回転制御していた。
【０００９】
しかし、２Ｄ映像コンテンツ再生においては必要以上の回転速度でディスクを回転させていることとなり、無駄な電力消費、部品の消耗、騒音の発生が問題であった。また、上記特許文献１〜３の技術は、このような問題を解決するものではなかった。
【００１０】
上記問題点を鑑み、本発明は、３Ｄ映像コンテンツと２Ｄ映像コンテンツを再生可能なディスク再生装置において、消費電力の低減等が可能となるディスク再生装置を提供することを目的とする。
【課題を解決するための手段】
【００１１】
上記目的を達成するために本発明は、ディスクに記録された３Ｄ映像コンテンツおよび２Ｄ映像コンテンツを再生するディスク再生装置において、
３Ｄ映像コンテンツ再生用のディスク回転速度制御モードと２Ｄ映像コンテンツ再生用のディスク回転速度制御モードとを切替えて設定する設定部と、
前記設定部により設定された制御モードでディスク回転速度を制御する制御部と、を備えた構成とする。
【００１２】
このような構成によれば、２Ｄ映像コンテンツ再生用のディスク回転速度制御モードを設定して、設定された制御モードでディスク回転速度を制御することができるので、３Ｄ映像コンテンツ再生用のディスク回転速度制御しか行えない場合に比べ、適切なディスク回転速度で再生することが可能となる。従って、無駄な電力消費を抑え、部品の磨耗を抑え、騒音を抑えることもできる。
【００１３】
また、上記構成において、ディスクに３Ｄ映像コンテンツが含まれているか否かを示すコンテンツ情報をディスクから読み出す読出し部を備え、
前記設定部は、前記読出し部に読み出された前記コンテンツ情報に基づきディスクに３Ｄ映像コンテンツが含まれているか否かを判定し、３Ｄ映像コンテンツが含まれていれば、前記３Ｄ映像コンテンツ再生用のディスク回転速度制御モードを設定し、３Ｄ映像コンテンツが含まれていなければ、前記２Ｄ映像コンテンツ再生用のディスク回転速度制御モードを設定する構成としてもよい。
【００１４】
また、上記いずれかの構成において、前記設定部は、３Ｄ映像コンテンツを再生可能なデータ読出し速度を設定することで前記３Ｄ映像コンテンツ再生用のディスク回転速度制御モードを設定し、２Ｄ映像コンテンツを再生可能なデータ読出し速度を設定することで前記２Ｄ映像コンテンツ再生用のディスク回転速度制御モードを設定し、
前記制御部は、再生データ速度が設定されたデータ読出し速度と一致するようにディスク回転速度を制御する構成としてもよい。
【００１５】
また、上記いずれかの構成において、前記ディスクは、光ディスクであってもよい。
【発明の効果】
【００１６】
本発明によると、３Ｄ映像コンテンツと２Ｄ映像コンテンツを再生可能なディスク再生装置において、消費電力の低減等が可能となる。
【図面の簡単な説明】
【００１７】
【図１】本発明の一実施形態に係るブルーレイディスク再生装置の概略外観図である。
【図２】本発明の一実施形態に係るブルーレイディスク再生装置の概略構成図である。
【図３】本発明に係るディスク回転速度制御動作の一例に関するフローチャートである。
【図４】本発明に係るディスク回転速度制御動作の別の一例に関するフローチャートである。
【図５】本発明に係るディスク回転速度テーブルの一例を示す図である。
【発明を実施するための形態】
【００１８】
以下に本発明の実施形態を図面を参照して説明する。ここでは、ブルーレイディスク再生装置を一例として説明する。本発明の一実施形態に係るブルーレイディスク再生装置１００の概略外観図を図１に示し、本発明の一実施形態に係るブルーレイディスク再生装置１００の概略構成を図２に示す。
【００１９】
図２に示すブルーレイディスク再生装置１００は、光ピックアップ２と、スピンドルモータ３と、データ再生部４と、バッファ５と、デコーダ６と、映像音声信号出力部７と、スピンドルモータ制御部８と、システム制御部９と、を備えている。映像音声信号出力部７には、外部のテレビ装置２００が接続される。
【００２０】
スピンドルモータ３は、ターンテーブル（不図示）を介してブルーレイディスク（以下、ＢＤ）１を回転駆動するモータであり、スピンドルモータ制御部８により回転速度制御される。光ピックアップ２は、不図示のレーザダイオード、対物レンズ、対物レンズアクチュエータ、フォトディテクタ等を有し、回転駆動されるＢＤ１の記録面にレーザを照射し、記録面での反射光に基づくＲＦ信号を出力する。なお、光ピックアップ２は、不図示のスレッドモータによりＢＤ１の半径方向に駆動される。
【００２１】
また、光ピックアップ２は、単一の記録層を有するＢＤ１のみならず、複数の記録層を有するＢＤ１であっても各記録層にレーザの焦点を合わせることで各記録層から情報を読み出すことができるよう構成される。
【００２２】
データ再生部４は、光ピックアップ２が出力するＲＦ信号をＡ／Ｄ変換して２値化し、２値化データに対して復調およびエラー訂正を行い、再生データを取り出してバッファ５に出力する。バッファ５に蓄積された再生データはデコーダ６により読み出されてデコードされる。デコーダ６によるデコード後の映像音声データは映像音声信号出力部７によりテレビ装置２００に適した映像音声信号に変換され、テレビ装置２００に出力される。テレビ装置２００は入力された映像音声信号に基づき映像を表示し、音声を発生させる。
【００２３】
特に、ＢＤ１に記録された３Ｄ映像コンテンツを再生する場合は、映像音声信号出力部７からは右目用映像信号、左目用映像信号が交互にテレビ装置２００に出力され、テレビ装置２００には右目用画像、左目用画像が交互に表示される。このとき、テレビ装置２００は視聴者が装着したメガネに同期信号を送信し、メガネの左右のシャッターを画像表示に同期させて開閉させる。これにより、左右視差による立体表示感覚を視聴者は得ることができる。
【００２４】
システム制御部９は、マイクロコンピュータ等を有し、ブルーレイディスク再生装置１００を構成する各部が実行すべき所要の動作に応じて適宜制御処理を実行する。
【００２５】
次に、以上のような構成であるブルーレイディスク再生装置１００によるディスク回転速度制御動作について図３のフローチャートを用いて説明する。
【００２６】
まず、ＢＤ１をブルーレイディスク再生装置１００に挿入すると（図１）、不図示のローダ機構によりＢＤ１がターンテーブル（不図示）に装着される。そして、スピンドルモータ３によりＢＤ１の回転駆動が開始され、ＢＤ１に３Ｄ映像コンテンツが含まれているか否かを示すコンテンツ情報を光ピックアップ２によりＢＤ１から読み出す。具体的には、index.bdmv / AppInfoBDMV / initial_output_mode_preferenceを読み出せばよい。
【００２７】
システム制御部９は、読み出したコンテンツ情報に基づきＢＤ１に３Ｄ映像コンテンツが含まれているか否かを判定する（図３のステップＳ３１）。もし、３Ｄ映像コンテンツが含まれている場合は（ステップＳ３１のＹ）、ステップＳ３２に進む。ここで、３Ｄ映像コンテンツが含まれる場合としては、３Ｄ映像コンテンツのみがＢＤ１に記録されている場合と、３Ｄ映像コンテンツと２Ｄ映像コンテンツの両方がＢＤ１に記録されている場合がある。ステップＳ３２で、システム制御部９は、３Ｄ映像コンテンツを再生可能なデータ読出し速度をスピンドルモータ制御部８に設定する。
【００２８】
そして、ステップＳ３４に進み、スピンドルモータ制御部８は、バッファ５に蓄積される再生データの速度が設定されたデータ読出し速度と一致するようにスピンドルモータ３の回転速度を制御する制御を開始し、ＢＤ１の再生が開始される。なお、ＢＤ１に３Ｄ映像コンテンツと２Ｄ映像コンテンツが記録されている場合は、２Ｄ映像コンテンツの再生も３Ｄ映像コンテンツを再生可能なデータ読出し速度により行われる。
【００２９】
一方、ステップＳ３１で３Ｄ映像コンテンツが含まれないと判定された場合は（ステップＳ３１のＮ）、ステップＳ３３に進み、システム制御部９は、２Ｄ映像コンテンツを再生可能なデータ読出し速度をスピンドルモータ制御部８に設定する。ここで設定されるデータ読出し速度は、３Ｄ映像コンテンツを再生可能なデータ読出し速度よりも低い。
【００３０】
そして、ステップＳ３４に進み、スピンドルモータ制御部８は、バッファ５に蓄積される再生データの速度が設定されたデータ読出し速度と一致するようにスピンドルモータ３の回転速度を制御する制御を開始し、ＢＤ１の再生が開始される。
【００３１】
このように、ＢＤ１に３Ｄ映像コンテンツが含まれない場合は、データ読出し速度を低く設定し、再生データ速度が設定されたデータ読出し速度と一致するようディスク回転速度を制御して再生するので、適切なディスク回転速度で再生することができる。従って、無駄な電力消費を抑え、部品の消耗を抑え、騒音を低減することもできる。
【００３２】
次に、図４のフローチャートを用いてブルーレイディスク再生装置１００によるディスク回転速度制御動作の別実施形態について説明する。なお、本実施形態では、スピンドルモータ制御用にスピンドルモータ３の回転速度を検出する回転速度センサ（不図示）を備えるようにする。
【００３３】
まず、ＢＤ１をブルーレイディスク再生装置１００に挿入すると、３Ｄ映像コンテンツがＢＤ１に含まれるか否かを判定する処理がステップＳ４１で行われ、これは先の実施形態（図３）と同様である。
【００３４】
ここで、もし３Ｄ映像コンテンツが含まれる場合は（ステップＳ４１のＹ）、ステップＳ４２に進み、システム制御部９は、３Ｄ映像コンテンツを再生可能なディスク回転速度モードをスピンドルモータ制御部８に設定する。
【００３５】
ここで、スピンドルモータ制御部８は、図５に示すようなディスク回転速度テーブルを有している。本テーブルでは、ディスクの内周から外周までのエリアごとに３Ｄ映像コンテンツ、２Ｄ映像コンテンツをそれぞれ再生可能な目標ディスク回転速度が定められている。なお、内周側から外周側へ向かうに従い目標ディスク回転速度は低くなる。
【００３６】
ステップＳ４２で３Ｄ映像コンテンツを再生可能なディスク回転速度モードに設定されたスピンドルモータ制御部８は、上記ディスク回転速度テーブルのうち再生エリアに応じた３Ｄ映像コンテンツ用の目標ディスク回転速度に回転速度センサにより検出されたディスク回転速度が一致するようスピンドルモータ３を駆動制御する制御を開始し、ＢＤ１の再生が開始される（ステップＳ４４）。
【００３７】
一方、ステップＳ４１で３Ｄ映像コンテンツが含まれないと判定された場合は（ステップＳ４１のＮ）、ステップＳ４３に進み、システム制御部９は、２Ｄ映像コンテンツを再生可能なディスク回転速度モードをスピンドルモータ制御部８に設定する。
【００３８】
そして、ステップＳ４４に進み、スピンドルモータ制御部８は、上記ディスク回転速度テーブルのうち再生エリアに応じた２Ｄ映像コンテンツ用の目標ディスク回転速度に回転速度センサにより検出されたディスク回転速度が一致するようスピンドルモータ３を駆動制御する制御を開始し、ＢＤ１の再生が開始される。
【００３９】
このような実施形態によっても、ＢＤ１に３Ｄ映像コンテンツが含まれない場合は、２Ｄ映像コンテンツを再生可能な目標ディスク回転速度でＢＤ１が回転制御され再生されるので、適切なディスク回転速度で再生することができる。従って、無駄な電力消費を抑え、部品の消耗を抑え、騒音を低減することもできる。
【００４０】
以上本発明の実施形態について説明したが、本発明の趣旨の範囲内であれば、実施形態は種々変更が可能である。
【００４１】
例えば、上記実施形態では、コンテンツ情報に基づき３Ｄ映像コンテンツが含まれるか否かを判定したので、ＢＤ１に３Ｄ映像コンテンツと２Ｄ映像コンテンツが含まれる場合は、２Ｄ映像コンテンツの再生時も３Ｄ映像コンテンツ用のディスク回転速度でディスクを回転制御していた。しかし、一つのディスクに３Ｄ映像コンテンツと２Ｄ映像コンテンツが含まれる場合は、再生対象が３Ｄ映像コンテンツか２Ｄ映像コンテンツかに応じてディスク回転速度制御のモードを切替えて設定するようにしてもよい。
【００４２】
また、本発明は、ブルーレイディスク再生装置に限らず、ブルーレイディスクレコーダ、ＤＶＤレコーダ等の光ディスク装置に適用してもよいし、ハードディスクレコーダ等の磁気ディスク装置に適用してもよい。
【００４３】
また、ブルーレイディスク再生装置に外付けハードディスク装置をケーブル（ＨＤＭＩケーブル等）で接続し、ハードディスク装置からコンテンツを再生するシステムに本発明を適用してもよい。この場合、再生対象が３Ｄ映像コンテンツか２Ｄ映像コンテンツに応じてブルーレイディスク再生装置がハードディスク装置にディスク回転速度制御のモードを設定し、ハードディスク装置が設定されたモードでハードディスクの回転速度制御を行いコンテンツを再生するようにすればよい。
【符号の説明】
【００４４】
１  ブルーレイディスク（ＢＤ）
２  光ピックアップ
３  スピンドルモータ
４  データ再生部
５  バッファ
６  デコーダ
７  映像音声信号出力部
８  スピンドルモータ制御部
９  システム制御部
１００  ブルーレイディスク再生装置
２００  テレビ装置
【図２】
2012104182.tif 000003
【図３】
2012104182.tif 000004
【図４】
2012104182.tif 000005
【図５】
2012104182.tif 000006
【図１】
2012104182.tif 000007